(57)【要約】【課題】ケース本体に枢支された蓋を上方向に揺動させて開閉する収容ケースであって、蓋を開姿勢維持できる可動部品を設けずに蓋を開姿勢に維持できる収容ケースを提供すること。【解決手段】端子箱１６は、ケース本体１６０に枢支された蓋１６２を上方向に揺動させて開閉する収容ケースである。蓋１６２は、長孔１６６を有し、揺動軸１６５を長孔１６６の一端側の第１位置で挿通させた状態で蓋１６２を振り上げて開ける。蓋１６２を開状態にして長孔１６６の方向にスライドさせ、揺動軸１６５を長孔１６６の他端側の第２位置で挿通するように移動させると、蓋１６２の上方部がケース本体１６０に設けられた窪み状の回転荷重支持部１６８と当接するようになる。すると、蓋１６２が自重で閉じようとしても、回転荷重支持部１６８で揺動が規制され、蓋１６２は開状態で維持される。【選択図】図９
2018128717.tif 000002
【特許請求の範囲】
【請求項１】
ケース本体に設けられた左右方向の揺動軸にて枢支された蓋を、閉じた姿勢（以下「閉姿勢」という）から開ける姿勢（以下「開姿勢」という）に上方向に揺動させて開口部を露出させる設置時の上下方向が決まっている開閉式の収容ケースであって、
前記蓋は、
前記揺動軸の挿通位置が前記閉姿勢において上側となる第１位置と下側となる第２位置との間を変位可能に前記揺動軸を挿通する長孔、
を有し、
前記ケース本体は、
前記挿通位置を前記第１位置とした状態で前記蓋を前記閉姿勢と前記開姿勢との間で揺動可能とし、且つ、前記開姿勢において前記挿通位置を前記第１位置と前記第２位置との間で変位可能とする本体形状と、
前記開姿勢において前記挿通位置を前記第２位置とした状態で前記蓋の前記揺動軸周りの回転荷重を受ける回転荷重支持部と、
を有する、
収容ケース。
【請求項２】
前記蓋は、前記長孔を前記蓋の上方部に有し、
前記本体形状は、前記開姿勢において前記蓋の前記上方部を前記ケース本体の内方にスライド可能にする形状であることで、前記開姿勢において前記挿通位置を前記第１位置から前記第２位置へ変位可能な形状である、
請求項１に記載の収容ケース。
【請求項３】
前記回転荷重支持部は、前記開姿勢において前記挿通位置を前記第２位置とすることで、前記上方部に当接可能となり、前記上方部の上方への移動を抑止することで前記蓋の前記揺動軸周りの回転荷重を受ける当接部である、
請求項１又は２に記載の収容ケース。
【請求項４】
前記回転荷重支持部は、前記本体形状の一部位として構成されている、
請求項３に記載の収容ケース。
【請求項５】
前記第１位置は、前記閉姿勢において前記蓋の自重で前記挿通位置が前記第１位置となる前記長孔の一端部である、
請求項１〜４の何れか一項に記載の収容ケース。
【請求項６】
前記長孔は、当該長孔の長手方向が、前記蓋部の長手方向に沿うように設けられている、
請求項１〜５の何れか一項に記載の収容ケース。
【請求項７】
信号灯器の灯箱に隣接設置される請求項１〜６の何れか一項に記載の収容ケースであって、
前記灯箱の発光部への配線用の端子台を内蔵し、
前記灯箱に隣接設置される側面に配線用の孔が設けられた、
収容ケース。
【請求項８】
信号灯器の灯箱である請求項１〜６の何れか一項に記載の収容ケース。
【発明の詳細な説明】
【技術分野】
【０００１】
本発明は、収容ケースに関する。
【背景技術】
【０００２】
ケース本体に設けられた左右方向の揺動軸にて枢支された蓋を、閉じた姿勢（以下「閉姿勢」という）から開ける姿勢（以下「開姿勢」という）に上方向に揺動させて開口部を露出させる設置時の上下方向が決まっている開閉式の収容ケースでは、蓋を開けた状態でケース内部にアクセスするために、蓋を開姿勢に保つための構造が用意されるのが望ましいとされる。
【０００３】
例えば、特許文献１及び特許文献２には、ケース正面パネルを兼ねる蓋をケース本体に上方へ振り上げ可能に枢支した交通用信号灯器のフレーム構造について開示されているが、この構造が上述の収容ケースの一例である。
【先行技術文献】
【特許文献】
【０００４】
【特許文献１】特開２０１４−１２７１３６号公報
【特許文献２】特開２０１４−１２７１３７号公報
【発明の概要】
【発明が解決しようとする課題】
【０００５】
交通用信号灯器のメンテナンス作業は、設置状態で行われる。交通用信号灯器の電装品はすべからくケース本体内に収容されているので、作業開始とともに蓋を上方に振り上げてケースを開け、作業中は開姿勢を維持し、作業後に再び蓋を閉じる。作業中、作業員が腕で蓋を開姿勢に支え続けるのは作業性の観点から好ましくないので、つっかえ棒代わりに作業員自らが頭部に装着しているヘルメットで蓋を支えることで両手を自由にして作業する場合がある。
【０００６】
そこで、蓋を開姿勢に維持する可動部品（例えば、つっかえ棒やダンパーロッドなど）を内蔵した信号灯器を製作すれば良いように思われるが、必須部品としての要求仕様に含まれていないため、製造コストや組み立て工数の観点から内蔵するに至っていない。こうしたことは、交通用信号灯器の収容ケース構造に限らず、ケース本体に枢支された蓋を上方向に揺動させて開閉する収容ケースでは、その形態に係わらず同じである。そのため、可動部品を追加することなく、同じ作用効果を発揮できる構造があれば至便である。
【０００７】
本発明は、ケース本体に枢支された蓋を上方向に揺動させて開閉する収容ケースであって、蓋を開姿勢に維持できる可動部品を設けずに蓋を開姿勢に維持できる収容ケースを提供することを目的として考案されたものである。
【課題を解決するための手段】
【０００８】
上記課題を解決するための第１の発明は、ケース本体に設けられた左右方向の揺動軸にて枢支された蓋を、閉じた姿勢（以下「閉姿勢」という）から開ける姿勢（以下「開姿勢」という）に上方向に揺動させて開口部を露出させる設置時の上下方向が決まっている開閉式の収容ケースであって、前記蓋は、前記揺動軸の挿通位置が前記閉姿勢において上側となる第１位置と下側となる第２位置との間を変位可能に前記揺動軸を挿通する長孔、を有し、前記ケース本体は、前記挿通位置を前記第１位置とした状態で前記蓋を前記閉姿勢と前記開姿勢との間で揺動可能とし、且つ、前記開姿勢において前記挿通位置を前記第１位置と前記第２位置との間で変位可能とする本体形状と、前記開姿勢において前記挿通位置を前記第２位置とした状態で前記蓋の前記揺動軸周りの回転荷重を受ける回転荷重支持部と、を有する、収容ケースである。
【０００９】
第１の発明によれば、蓋を開姿勢にした後に、開姿勢のまま揺動軸の挿通位置を第１位置から第２位置になるようにケース本体と蓋との相対位置を変位させると、蓋の一部がケース本体の回転荷重支持部によって支持される。よって、蓋が自重により閉じ方向へ揺動しようとしても揺動軸周りの回転荷重が回転荷重支持部で受けられ、蓋は開姿勢のまま維持される。つまり、つっかえ棒などの可動部品を設けずに蓋を開姿勢に維持できる収容ケースを実現できる。
【００１０】
第２の発明は、前記蓋が、前記長孔を前記蓋の上方部に有し、前記本体形状が、前記開姿勢において前記蓋の前記上方部を前記ケース本体の内方にスライド可能にする形状であることで、前記開姿勢において前記挿通位置を前記第１位置から前記第２位置へ変位可能な形状である、第１の発明の収容ケースである。
【００１１】
第２の発明によれば、蓋を上方へ振り上げてその上端部をケース本体の内方にスライドさせる簡単な動作でケース本体と蓋との相対位置の変更、すなわち挿通位置の変位を行うことができる。
【００１２】
第３の発明は、前記回転荷重支持部が、前記開姿勢において前記挿通位置を前記第２位置とすることで、前記上方部に当接可能となり、前記上方部の上方への移動を抑止することで前記蓋の前記揺動軸周りの回転荷重を受ける当接部である、第１又は第２の発明の収容ケースである。
【００１３】
第３の発明によれば、揺動軸周りの移動が規制されることで、蓋は開状態のまま維持される。
【００１４】
第４の発明は、前記回転荷重支持部は、前記本体形状の一部位として構成されている、第３の発明の収容ケースである。
【００１５】
第４の発明によれば、ケース本体の形状の工夫で回転荷重支持部を得ることができるので、製造コストを低く抑えることができる。
【００１６】
第５の発明は、前記第１位置が、前記閉姿勢において前記蓋の自重で前記挿通位置が前記第１位置となる前記長孔の一端部である、第１〜第４の何れかの発明の収容ケースである。
【００１７】
第５の発明によれば、閉姿勢では自然と挿通位置が第１位置となるため、作業性を向上できる。
【００１８】
第６の発明は、前記長孔が、当該長孔の長手方向が、前記蓋部の長手方向に沿うように設けられている、第１〜第５の何れかの発明の収容ケースである。
【００１９】
第６の発明によれば、挿通位置の変位操作の方向が蓋の長手方向に沿っているので、ケース本体と蓋との相対位置の変更操作すなわち挿通位置の変位操作を直感的に理解し易い。よって、すぐに変位操作を習得することができる。
【００２０】
第７の発明は、信号灯器の灯箱に隣接設置される第１〜第６の何れかの発明の収容ケースであって、前記灯箱の発光部への配線用の端子台を内蔵し、前記灯箱に隣接設置される側面に配線用の孔が設けられた、収容ケースである。
【００２１】
第７の発明によれば、第１〜第６の何れかの発明の効果を発揮する信号灯器用の端子箱を実現することができる。
【００２２】
第８の発明は、信号灯器の灯箱である第１〜第６の何れかの発明の収容ケースである。
【００２３】
第８の発明によれば、第１〜第６の何れかの発明の効果を発揮する信号容器の灯箱を実現することができる。
【図面の簡単な説明】
【００２４】
【図１】本実施形態の信号灯器の斜視外観図。
【図２】本実施形態の信号灯器の分解図。
【図３】単灯ユニットの分解図であって、図２におけるＡ−Ａ断面図。
【図４】単灯ユニットの正面向かって右側の側面図。
【図５】端子箱の正面図。
【図６】端子箱の背面図。
【図７】端子箱の正面向かって右側の側面図。
【図８】端子箱の正面向かって左側の側面図。
【図９】端子箱の図５におけるＢ−Ｂ断面図。
【図１０】端子箱を開ける操作を説明するための状態遷移図。
【図１１】本実施形態を信号灯器の灯箱の開閉構造に適用した場合の一例を示す信号灯器の正面図。
【発明を実施するための形態】
【００２５】
図１は、本実施形態の信号灯器１０の斜視外観図である。図２は、信号灯器１０の分解図である。
【００２６】
本実施形態の信号灯器１０は、道路交通用の３灯式の信号灯器であって、灯色別の３つの単灯ユニット１２を左右に連結し、左右何れかの端部に端子箱１６を連結した構成を有している。端子箱１６は、本発明が適用された収容ケースであり、端子台２０を内蔵する。端子台２０は、交通信号の制御機（不図示）からの外部信号線２２と、単灯ユニット１２の光学式ユニット１３に接続する中継ケーブルハーネス２４とを接続する。
【００２７】
本実施形態の信号灯器１０が有する３つの単灯ユニット１２は、灯色がそれぞれ異なる以外は全て同じ構成をしている。すなわち、単灯ユニット１２は、大きく分けると、光学式ユニット１３と、灯箱１４とを有した構成をしている。
【００２８】
光学式ユニット１３は、信号灯器１０の正面方向へ信号光を投光する発光部である。光学式ユニット１３は、発光素子である複数のＬＥＤと、発光素子を発光させるための電気回路部（具体的には、プリント基板など）と、発光素子からの光を集光或いは散光するレンズ部と、保護カバーと、を一体的に備えたアッセンブリとして供給される。レンズ部は保護カバーを兼ねても良い。
【００２９】
図３は、単灯ユニット１２の分解図であって、図２における単灯ユニット１２のＡ−Ａ断面図である。
光学式ユニット１３の電気回路部へ外部から信号を入力するためのケーブルハーネス１３１は光学式ユニット１３の背面側から取り出されている。その先端には防水コネクタ１３２が装着されている。防水コネクタ１３２は、中継ケーブルハーネス２４の防水コネクタ２４２（図２参照）と対を成しており、ケーブルハーネス１３１の電極と中継ケーブルハーネス２４の電極とを連結／切り離し自在に接続できるようになっている。
【００３０】
光学式ユニット１３は、灯箱１４の有底凹部１４１に嵌着され、防水パッキン１３４を介して取付ビス１３６により、単灯ユニット１２の正面側から固定される。
【００３１】
有底凹部１４１は、光学式ユニット１３を前面外側から装着及び取り外し可能に構成された正面（前面）側に開口する凹部であって、装着された光学式ユニット１３の背面側に内部空間を画成する深さを有する。有底凹部１４１には、適宜、通気穴１４１ａや水抜き穴１４１ｂを設けることができる。
【００３２】
灯箱１４は、単灯ユニット１２の主たる躯体である。金型でモールドした樹脂製の一体成形品である。具体的には、灯箱１４は、信号灯器１０の正面方向に開口する有底凹部１４１の上下左右の４つの外周壁（上面外周壁１４２、下面外周壁１４３、左右それぞれの連結用外周壁１４４）で有底凹部１４１が囲繞された形状を有する。そして、有底凹部１４１の開口端部と、４つの外周壁の正面側端部とを正面板部１４５で連結し、補強リブ１４６で補強した構成を有している。
【００３３】
左右の連結用外周壁１４４は、別の灯色の単灯ユニット１２又は端子箱１６と連結するための強化壁部ともいえる。左右の連結用外周壁１４４は、図４に示すような構成を左右対称に有している。
【００３４】
具体的には、左右の連結用外周壁１４４は、それぞれ、側板部１４４ａに、１）他の単灯ユニット１２の灯箱１４や端子箱１６と連結するための連結ボルトを挿通する連結ボルト孔１５０と、２）信号灯器１０として一体となった後に灯器用支柱などに接続固定するための支持ボルトを挿通する支持ボルト孔１５１と、３）光学式ユニットに接続する電線である中継ケーブルハーネス２４を有底凹部１４１内（灯箱の内部空間）に通すための管を形成するハーネス挿通配管部１４７と、が設けられている。
【００３５】
なお、ハーネス挿通配管部１４７には、適宜防水パッキンを装着するか、雨水の浸入を防止するラビリンス構造を適宜設けるものとする。
【００３６】
また、信号灯器１０の正面から見て右端に連結されている単灯ユニット１２におけるハーネス挿通配管部１４７には、信号灯器１０組み立て時に適宜防水キャップで封止する。或いは、ハーネス挿通配管部１４７の外側出口を半貫通状態にしておいて、連結させる単灯ユニット１２について、組み立て作業前の簡単な手作業又は軽加工で貫通状態にする構成としてもよい。この場合、例えば図１のように構成される信号灯器１０の正面から見て右端に連結される単灯ユニット１２における右側面側のハーネス挿通配管部１４７は、半貫通状態のまま残すことになる。
【００３７】
なお、ここで言う「半貫通状態」とは、容易な手作業や軽加工で貫通状態にできるような状態を言う。例えば、そのまま使用すれば蓋部として機能する薄膜が形成されている状態や、手で押し込んで押し抜くと言った容易な手作業、またはカッターで切る或いは軽くドリルを当てるといった軽加工で貫通状態にできる状態のことである。
【００３８】
図５〜図８は、それぞれ端子箱１６の正面図、背面図、右側面図、左側面図である。
図９は、図５におけるＢ−Ｂ断面図である。
【００３９】
端子箱１６は、ケース本体１６０に、端子台２０の収容空間１６１と、蓋１６２と、単灯ユニット１２との連結部１６３と、を有し、設置時の上下方向が図１や図５に向かった上下方向となるように決まっている。ケース本体１６０と、蓋１６２とは、それぞれ樹脂製型物として成形されている。
【００４０】
図５及び図９に示すように、収容空間１６１は、信号灯器１０の正面方向に開口する有底空間である。収容空間１６１の背面側内側面（有底空間の底に相当）には、外部信号線２２（図２参照）を挿通するための背部配線孔１７３が開口し、配線孔用グロメット１６４が装着されている。また、収容空間１６１の正面向かって右側面には、中継ケーブルハーネス２４（図２参照）を挿通する側部配線孔１７４が設けられている。端子箱１６と単灯ユニット１２とを連結さると、側部配線孔１７４が、連結された単灯ユニット１２のハーネス挿通配管部１４７（図３，図４参照）と繋がり、中継ケーブルハーネス２４を端子箱１６から、単灯ユニット１２の有底凹部１４１へ引き入れることができるようになる。
【００４１】
なお、本実施形態の収容空間１６１は、ケース本体１６０のボリュームに対して小さめに設定している。そのため、背面側から適宜肉抜きをして軽量化を図りつつ、背面側にリブ１６０ｂを適宜設けて、ケース本体１６０それ自体の強度を維持している（図６、図９参照）。
【００４２】
図５及び図９に示すように、蓋１６２は、揺動軸１６５によってケース本体１６０の上端部にて揺動可能に連結されている。具体的には、蓋１６２の上方部に、蓋１６２の長手方向（蓋１６２を閉じた閉状態：図５，図９の状態で上下方向）に沿った長孔１６６が設けられており、この長孔１６６に、ケース本体１６０の正面側上部に左右方向に設けられた揺動軸１６５を挿通させて枢支されている。
【００４３】
蓋１６２は、ケース本体１６０の下面に固定されたパッチン錠１６７により閉じた状態でロックされている。蓋１６２を開ける際には、パッチン錠１６７を外し、蓋１６２の下端部を振り上げるようにして開ける。
なお、ケース本体１６０と蓋１６２との間には、適宜防水パッキンを設けるか防水構造を設けるものとする。
【００４４】
図５及び図７に示すように、連結部１６３は、ケース本体１６０の正面向かって右側の躯体部を兼ねており、上方と下方にそれぞれ連結時に単灯ユニット１２の連結ボルト孔１５０（図４参照）と対向する連結ボルト孔１７０が設けられている。勿論、ハーネス挿通配管部１４７と対向する収容空間１６１に側部配線孔１７４も開口している。
【００４５】
本実施形態では、ケース本体１６０の上下寸法が単灯ユニット１２の上下寸法より小さく設定されているので、連結部１６３の下端部が、ケース本体１６０より下方に向かって延設されているようにデザインされているが、ケース本体１６０と単灯ユニット１２の上下寸法を合わせる場合には、延設部分を省略したデザインとしても良い。
【００４６】
連結部１６３は、板部１６３ａをベースに、その外周と、連結ボルト孔１７０や側部配線孔１７４のボス部とを適当にリブ１６３ｂで連結されている。これにより、ケース本体１６０については、軽量化を図りつつも樹脂製型物として一体成形するのに適した躯体としての十分な強度が確保されている。
【００４７】
軽量化とともに強度を確保する構造については、端子箱１６のケース本体１６０の左側部も同様である。すなわち、図８に示すように、端子箱１６の正面向かって左側の側面には、信号灯器１０を支柱等に連結するための支持ボルトを挿通する支持ボルト孔１７１が設けられているので、板部１６０ａをベースに、その外周と、支持ボルト孔１７１のボス部とがリブ１６０ｂで連結されており、軽量化を図りつつも躯体としての十分な強度が確保されている。
【００４８】
次に、端子箱１６の開閉操作について説明する。
図１０は、端子箱１６を開ける操作を説明するための状態遷移図である。
図１０（１）に示すように、蓋１６２が閉じた状態では、揺動軸１６５は長孔１６６の長手方向の一端側（図１０（１）の状態で言えば上側）で挿通している。この挿通位置を「第１位置」と呼ぶこととする。
【００４９】
図１０（２）に示すように、パッチン錠１６７を解錠し、係合位置をそのままに蓋１６２を持って上に振り上げるように揺動させて蓋１６２を開いた状態すなわち「開姿勢」にする。
【００５０】
そして、図１０（３）に示すように、十分に蓋１６２を振り上げて開姿勢にした後、長孔１６６内で揺動軸１６５を滑らせるようにして、揺動軸１６５と長孔１６６との挿通位置を、長孔１６６の長手方向の他端側に変更するように蓋１６２を移動させると、蓋１６２を開姿勢（振り上げた状態）でロックさせることができる。この時の挿通位置を「第２位置」と呼ぶこととする。揺動軸１６５の挿通位置は、閉姿勢において第１位置と第２位置との間を変位可能にある。
【００５１】
本実施形態のケース本体１６０には、揺動軸１６５の後方（正面から見て後ろ側）斜め下に、正面方向から背面方向へ向けて、蓋１６２の上方部を押し込めるだけの窪みが設けられている。この窪みを回転荷重支持部１６８と言う。回転荷重支持部１６８の凹形状は、蓋１６２を、図１０（２）で示す所定の開姿勢まで振り上げないと押しこみできないように設定されている。回転荷重支持部１６８は、開姿勢において挿通位置を第２位置とすることで、蓋１６２の上方部に当接可能となり、上方部の上方への移動を抑止することで蓋１６２の揺動軸１６５周りの回転荷重を受ける当接部である。
【００５２】
蓋１６２を開姿勢にして、第２位置で枢支されるように蓋１６２をケース本体の内方へスライドさせると、蓋１６２の枢支側端部（図１０（３）の状態では下側の端部；蓋１６２にとっての上方部）が回転荷重支持部１６８の窪みに嵌まる。すると、作業員が蓋１６２から手を離し、蓋１６２が自重で閉じようとしても、揺動軸１６５を中心に作用する回転荷重が回転荷重支持部１６８の窪みで支持される。つまり、蓋１６２の上方部は上方への移動が抑止され、蓋１６２が閉じる事が無い。
【００５３】
つまり、作業員は、作業している間一方の手で蓋１６２を開姿勢に支え続ける必要がなくなり、両手で電気工事や配線工事などのメンテナンス作業をすることができる。なお、蓋１６２を閉じる時は、この逆順で作業すればよい。閉姿勢において蓋１６２の自重で挿通位置が第１位置となる。
【００５４】
以上、本実施形態によれば、蓋１６２には、閉姿勢において挿通位置が第１位置と第２位置との間を変位可能に揺動軸１６５を挿通する長孔１６６が設けられている。そして、ケース本体１６０は、挿通位置を第１位置とした状態で蓋１６２を閉姿勢と開姿勢との間で揺動可能とし、且つ、開姿勢において挿通位置を第１位置と第２位置との間で変位可能とする形状を有していて、さらに、開姿勢において挿通位置を第２位置とした状態で蓋１６２の揺動軸１６５周りの回転荷重を受ける回転荷重支持部１６８を備えて構成される。このため、ケース本体１６０に枢支された蓋１６２を上方向に揺動させて開閉する収容ケースであって、蓋１６２を開姿勢に維持できる可動部品を設けずに蓋１６２を開姿勢に維持できる収容ケースを提供することができる。
【００５５】
〔変形例〕
なお、本発明を適用可能な形態は、上記実施形態に限らず、適宜構成要素の追加・省略・変更を施すことができる。
【００５６】
［その１］
例えば、上記実施形態では、端子箱１６を信号灯器１０の正面向かって左端に取り付ける構成としているが、正面向かって右端に取り付ける構成とすることもできる。この場合、端子箱１６を上記実施形態の例とは左右対称にデザインすればよい。
【００５７】
［その２］
また、上記実施形態では本発明を端子箱１６に適用した例を示したが、例えば図１１に示す信号灯器１０Ｂのように、灯箱１４Ｂに適用することも可能である。すなわち、設置時の上下方向が決まっている灯箱１４Ｂを、ケース本体１４８に枢支された蓋１４９を上方向に揺動させて開閉する収容ケースとしてデザインする。そして、蓋１４９には、上記実施形態の蓋１６２の長孔１６６と同様に長孔を設け、ケース本体１４８には、上記実施形態の揺動軸１６５及び回転荷重支持部１６８と同様の部位を設ければ良い（図９参照）。なお、図１１の例では、灯箱１４Ｂが３つの光学式ユニット１３を備える構造としているが、図１，２に示したように光学式ユニット１３別に灯箱１４Ｂが設けられた構成としてもよいのは勿論である。
【００５８】
［その３］
また、上記実施形態では、端子箱１６を樹脂成形する例を示したが、端子箱１６を含む本発明を適用可能な収容ケースは、板金加工等による金属製でもよいことは勿論である。その場合、回転荷重支持部１６８は押出加工で形成するとしても良いし、別の板金部品をケース本体１６０に取り付けるとしても良い。
【符号の説明】
【００５９】
１０、１０Ｂ…信号灯器
１２…単灯ユニット
１２８…ケース本体
１２９…蓋
１３…光学式ユニット
１３１…ケーブルハーネス
１３２…防水コネクタ
１３４…防水パッキン
１３６…取付ビス
１４…灯箱
１４１…有底凹部
１４２…上面外周壁
１４３…下面外周壁
１４４…連結用外周壁
１４５…正面板部
１４６…補強リブ
１４７…ハーネス挿通配管部
１６…端子箱
１６０…ケース本体
１６０ａ…板部
１６０ｂ…リブ
１６１…収容空間
１６２…蓋
１６３…連結部
１６４…配線孔用グロメット
１６５…揺動軸
１６６…長孔
１６７…パッチン錠
１６８…回転荷重支持部
１５０…連結ボルト孔
１５１…支持ボルト孔
１７０…連結ボルト孔
１７１…支持ボルト孔
１７３…背部配線孔
１７４…側部配線孔
２０…端子台
２２…外部信号線
２４…中継ケーブルハーネス
２４２…防水コネクタ
【図１】
2018128717.tif 000003
【図２】
2018128717.tif 000004
【図３】
2018128717.tif 000005
【図４】
2018128717.tif 000006
【図５】
2018128717.tif 000007
【図６】
2018128717.tif 000008
【図７】
2018128717.tif 000009
【図８】
2018128717.tif 000010
【図９】
2018128717.tif 000011
【図１０】
2018128717.tif 000012
【図１１】
2018128717.tif 000013